(57)【要約】【課題】防犯ブザーを確実に動作させることができるだけの電源が、常に確保されていると共に、緊急時には、効果を確実に発揮させることが可能な防犯ブザーを提供する。【解決手段】蓄電池、該蓄電池の充電回路、発音体、及び、蓄電池を電源として発音体を鳴動させる鳴動回路が内部に収納されていると共に、上記の充電回路及び鳴動回路に接続された外部接続用ジャック４ａが備えられている防犯ブザー本体１と、この防犯ブザー本体１と異なる別体７に備えられていると共に、上記の充電回路を介して蓄電池に供給される充電用電力を発電する太陽電池２と、先端に防犯ブザー本体１の外部接続用ジャック４ａに挿入されるケーブル用プラグ５ａが備えられていると共に、基端が太陽電池２に接続されている電力送電用ケーブル３とで、太陽電池付防犯ブザーを構成する。【選択図】図１
2007202762.tif 000002
【特許請求の範囲】
【請求項１】
蓄電池、該蓄電池の充電回路、発音体、及び、前記蓄電池を電源として前記発音体を鳴動させる鳴動回路が、内部に収納されていると共に、前記充電回路及び前記鳴動回路に接続された外部接続用コネクタが備えられている防犯ブザー本体と、
前記防犯ブザー本体と異なる別体に備えられていると共に、前記充電回路を介して前記蓄電池に供給される充電用電力を発電する太陽電池と、
先端に、前記防犯ブザー本体の外部接続用コネクタと接続されるケーブル用コネクタが備えられていると共に、基端が、前記太陽電池に接続されている電力送電用ケーブルと、で構成されており、
前記電力送電用ケーブルのケーブル用コネクタが、前記防犯ブザー本体の外部接続用コネクタに接続された状態では、前記蓄電池が充電されると共に前記発音体は鳴動せず、前記電力送電用ケーブルのケーブル用コネクタが、前記防犯ブザー本体の外部接続用コネクタから外れている状態では、前記発音体は鳴動することを特徴とする太陽電池付防犯ブザー。
【請求項２】
前記防犯ブザー本体は、携帯用のストラップを備えている請求項１記載の太陽電池付防犯ブザー。
【請求項３】
前記別体は、ランドセルであると共に、前記太陽電池は、フレキシブルなシート状であり、該太陽電池は、前記ランドセルの蓋の表面に張付されている請求項１又は２記載の太陽電池付防犯ブザー。
【請求項４】
前記電力送電用ケーブルは、前記ランドセルの蓋の付根付近から、前記ランドセルの背負面側へ導出されている請求項３記載の太陽電池付防犯ブザー。
【発明の詳細な説明】
【技術分野】
【０００１】
本発明は、太陽電池を備えた防犯ブザーに関し、詳しくは、児童が使用するランドセル等に太陽電池を備えた太陽電池付防犯ブザーに関する。
【背景技術】
【０００２】
最近、児童の登下校の際に、誘拐され殺害される等の事件が相次いで発生しており、児童の登下校における安全を確保するために、児童に防犯ブザーを携行させることが、有効な対策の一つとして注目されている。このため、このような目的に適った防犯ブザーが種々考案されている（例えば、特許文献１参照）。
【０００３】
最も典型的なタイプの防犯ブザーは、児童が首からぶら下げて使用するタイプの防犯ブザーである。このタイプの防犯ブザーは、児童が身の危険を感じたときに、防犯ブザーに取付られている紐を引くことにより、ブザーを鳴らして相手を威嚇すると共に、周囲の人々に危険な状況であることを知らせるものである。
【０００４】
この防犯ブザーの具体的な仕組みとしては、一般に、防犯ブザー内部にスイッチを設け、このスイッチに紐の付いた絶縁物を挟んでおき、この紐を引くことによってスイッチ間の絶縁物が外れてスイッチが入り、ブザーが鳴動するというものである。
【０００５】
このような、首からぶら下げて使用するタイプの防犯ブザーのほか、特許文献１に記載されているようなタイプの防犯ブザーも提案されている。このタイプの防犯ブザーは、防犯ブザーを、児童が身に着けるランドセルの横等に取付て、ランドセルと一体化したものである。このタイプの防犯ブザーも、紐が取付られており、緊急時に、この紐を引くことにより、ブザーを鳴動させるものである。
【特許文献１】特開平１１−７５９２４号公報
【発明の開示】
【発明が解決しようとする課題】
【０００６】
ところで、上述したような従来の防犯ブザーでは、一般に、電源として、乾電池（１次電池）が使用されている。一方、上述の防犯ブザーは、長期間にわたって使用されるが、防犯ブザーを動作させる機会は極めてまれである。そのため、電池が自己放電等で消耗していても電池の消耗に気付かず、必要なときに、防犯ブザーの機能を発揮できない可能性があった。
【０００７】
このような状態を回避するためには、防犯ブザーの電池の消耗具合を、絶えずチェックするようにすればよい。しかし、これは、わずらわしい作業であり、忘れる可能性もある。又、ランドセルに取付た防犯ブザーの場合、緊急時に、児童が紐を引く前に、先に相手がランドセルを剥ぎ取れば、効果を発揮できないという問題もあった。
【０００８】
そこで、この発明は、このような問題を解決するためになされたものであって、防犯ブザーの電源が消耗してなくなることはなく、防犯ブザーを確実に動作させることができるだけの電源が、常に確保されていると共に、緊急時には、効果を確実に発揮させることが可能な防犯ブザーを提供しようとするものである。
【課題を解決するための手段】
【０００９】
本発明の太陽電池付防犯ブザーは、防犯ブザー本体、太陽電池、及び、電力送電用ケーブルで構成されている。
【００１０】
防犯ブザー本体は、蓄電池、該蓄電池の充電回路、発音体、及び、蓄電池を電源として発音体を鳴動させる鳴動回路を内部に収納していると共に、上記の充電回路及び鳴動回路に接続された外部接続用コネクタを備えている。太陽電池は、防犯ブザー本体と異なる別体に備えられていると共に、上記の充電回路を介して蓄電池に供給される充電用電力を発電する。そして、電力送電用ケーブルは、先端に、上記の防犯ブザー本体の外部接続用コネクタと接続されるケーブル用コネクタが備えられていると共に、基端が、上記の太陽電池に接続されている。
【００１１】
上記の太陽電池付防犯ブザーにおいては、電力送電用ケーブルのケーブル用コネクタが防犯ブザー本体の外部接続用コネクタに接続された状態では、蓄電池は充電されるが、発音体は鳴動しない。又、電力送電用ケーブルのケーブル用コネクタが防犯ブザー本体の外部接続用コネクタから外れている状態では、蓄電池は充電されないが、発音体は鳴動することを特徴としている。
【００１２】
上記の太陽電池付防犯ブザーによれば、この太陽電池付防犯ブザーは、太陽電池を備えており、この太陽電池に外光が照射しているときは、太陽電池が発電する電力により、防犯ブザー本体の内部に収納されている蓄電池を充電することができる。従って、太陽電池付防犯ブザーが備える蓄電池が消耗してなくなることはなく、この太陽電池付防犯ブザーを確実に動作させることができるだけの電源を、常に確保することができる。
【００１３】
又、防犯ブザー本体の外部接続用コネクタに、太陽電池に接続された電力送電用ケーブルのケーブル用コネクタが接続されている間は、蓄電池は充電されるが発音体は鳴動せず、この外部接続用コネクタから電力送電用ケーブルのケーブル用コネクタが外されると、蓄電池は充電されないが発音体は鳴動する。従って、防犯ブザー本体の外部接続用コネクタから電力送電用ケーブルのケーブル用コネクタを外せば、発音体を鳴動させることができ、緊急時には、防犯ブザーの効果を確実に発揮させることができる。
【００１４】
又、太陽電池は、防犯ブザー本体と異なる別体に備えられており、太陽電池付防犯ブザーを使用する児童等は、太陽電池と防犯ブザー本体とを離して携行することができる。従って、太陽電池と防犯ブザー本体とが児童等から同時に剥ぎ取られるような事態の回避にきわめて有効であり、太陽電池と防犯ブザー本体とが児童等から同時に剥ぎ取られて防犯ブザー本体の発音体が鳴動しないまま他人に持去られることを、防止することができる。
【００１５】
上記の太陽電池付防犯ブザーにおいて、防犯ブザー本体に、携帯用のストラップを備えるのが好ましい。このようにすることにより、児童等が、防犯ブザー本体に備えられたストラップを首からかけて防犯ブザー本体を携行することができ、児童等の太陽電池付防犯ブザーの携行を容易にすることができる。
【００１６】
又、上記の太陽電池付防犯ブザーにおいて、上記の別体をランドセルとすると共に、太陽電池をフレキシブルなシート状として、この太陽電池を、ランドセルの蓋の表面に張付て取付るのが好ましい。このこのようにすることにより、児童等がランドセルを背負うことで、太陽電池を容易に携行することができる。
【００１７】
又、ランドセルに太陽電池を取付たことにより、上述した防犯ブザー本体に供えられた首からかけて使用できる携帯用のストラップと相まって、太陽電池と防犯ブザー本体とを離して携行することを、児童等に対して、容易、且つ、確実に行わせることができる。従って、太陽電池と防犯ブザー本体とが児童等から同時に剥ぎ取られるような事態の回避に対する有効性を高めることができ、上述したように、防犯ブザーの効果を確実に発揮させることができる。
【００１８】
又、上記の太陽電池付防犯ブザーにおいて、電力送電用ケーブルを、ランドセルの蓋の付根付近から、ランドセルの背負面側へ導出するようにするのが好ましい。このこのようにすることにより、児童等が、ランドセルを背負った状態で電力送電用ケーブルを肩越しに前へ垂らすことができ、電力送電用ケーブルのケーブル用コネクタを、児童等の胸の前に配置することができる。
【００１９】
従って、児童等が、上述した防犯ブザー本体を、この防犯ブザー本体に備えられた携帯用のストラップを首からかけて携行する場合に、首からかけた防犯ブザー本体の外部接続用コネクタに、電力送電用ケーブルのケーブル用コネクタを接続した状態を、自然な状態で保つことができる。又、ケーブル用コネクタの外部接続用コネクタへの接続部分が、児童等の目の届くところに位置するので、緊急時には、防犯ブザー本体の外部接続用コネクタから電力送電用ケーブルのケーブル用コネクタを外すのを、容易、且つ、確実に行うことができる。
【発明の効果】
【００２０】
本発明の太陽電池付防犯ブザーは、太陽電池を備えており、防犯ブザー本体の内部に収納されている蓄電池を充電することができるので、この太陽電池付防犯ブザーを確実に動作させることができるだけの電源を、常に確保することができる。
【００２１】
又、防犯ブザー本体の外部接続用コネクタから電力送電用ケーブルのケーブル用コネクタを外せば、発音体を鳴動させることができ、緊急時には、防犯ブザーの効果を確実に発揮させることができる。
【００２２】
又、児童等が、防犯ブザー本体のストラップを首からかけて防犯ブザー本体を携行することができると共に、太陽電池をランドセルの蓋の表面に張付ているので、児童等がランドセルを背負うことで太陽電池も携行することができる。従って、児童等が太陽電池付防犯ブザーを携行するのを容易にすることができる。
【００２３】
又、太陽電池は、防犯ブザー本体と異なるランドセルに備えられており、太陽電池と防犯ブザー本体とを離して携行することができる。従って、太陽電池と防犯ブザー本体とが児童等から同時に剥ぎ取られるような事態の回避にきわめて有効であり、太陽電池と防犯ブザー本体とが児童等から同時に剥ぎ取られて防犯ブザー本体の発音体が鳴動しないまま他人に持ち去られることを、防止することができる。
【００２４】
又、電力送電用ケーブルを、ランドセルの蓋の付根付近から、ランドセルの背負面側へ導出しており、児童等が、ランドセルを背負った状態で電力送電用ケーブルを肩越しに前へ垂らして、電力送電用ケーブルのケーブル用コネクタを児童等の胸の前に配置することができる。従って、児童等が、防犯ブザー本体のストラップを首からかけて携行時に、ケーブル用コネクタの外部接続用コネクタへの接続部分が、児童等の目の届くところにあるので、緊急時には、防犯ブザー本体の外部接続用コネクタから電力送電用ケーブルのケーブル用コネクタを外すのを、容易、且つ、確実に行うことができる。
【発明を実施するための最良の形態】
【００２５】
＜実施の形態１＞
以下、本発明の実施の形態１における太陽電池付防犯ブザーについて説明する。図１は、実施の形態１における太陽電池付防犯ブザーの外観図であり、図２、図３は、この太陽電池付防犯ブザーの回路構成を示した回路図である。実施の形態１における太陽電池付防犯ブザーは、児童等の登下校における安全を確保するために、児童等が登下校時に携行して使用することを目的として製作されている。
【００２６】
この太陽電池付防犯ブザーは、防犯ブザー本体１、太陽電池２、及び、電力送電用ケーブル３で構成されている。防犯ブザー本体１は、プラスチック製の箱状のケースで形成され、内部に、蓄電池Ｅ、発音体Ｂｚａ、スイッチＳＷ、ダイオードＤ、抵抗Ｒ１、及び、抵抗Ｒ２が収容されている。又、防犯ブザー本体１のケースの側面１ａには、外部接続用ジャック４ａが備えられている。又、防犯ブザー本体１のケースの上部には、ストラップ６が取付けられており、児童等がこのストラップ６を首に掛けて使用することで、防犯ブザー本体１を携行できるように構成されている。
【００２７】
太陽電池２は、フレキシブルなシート状であり、ランドセル７の蓋８の表面に張付けて取付られている。この太陽電池２は、このように、ランドセル７に取付ることにより、児童等がこのランドセル７を背負うことで太陽電池２を携行できるように構成されている。又、この太陽電池２には、電力送電用ケーブル３の基端が接続されると共に、この電力送電用ケーブル３の先端にはケーブル用プラグ５ａが備えられており、このケーブル用プラグ５ａは、防犯ブザー本体１のケースに取付けられている外部接続用ジャック４ａに挿入されて使用される。即ち、電力送電用ケーブル３のケーブル用プラグ５ａには、太陽電池２が発電する直流電力が出力され、後述するように、外部接続用ジャック４ａを介して、防犯ブザー本体１へ供給される。又、この電力送電用ケーブル３は、ランドセル７の蓋８の付根付近から、ランドセル７の背負面側へ導出させるようにして、太陽電池２に取付けられている。
【００２８】
次に、上記の太陽電池付防犯ブザーの回路構成について説明する。上述した図２は、電力送電用ケーブル３のケーブル用プラグ５ａが、防犯ブザー本体１の外部接続用ジャック４ａに挿入されて使用されている状態における回路図であり、図３は、電力送電用ケーブル３のケーブル用プラグ５ａが、防犯ブザー本体１の外部接続用ジャック４ａから外れている状態における回路図である。図２、図３において、外部接続用ジャック４ａは、端子Ｊａ１、端子Ｊａ２、及び、端子Ｊａ３の３つの端子を備えている。又、電力送電用ケーブル３のケーブル用プラグ５ａは、端子Ｐａ１、及び、端子Ｐａ２の２つの端子を備えており、端子Ｐａ１は、電力送電用ケーブル３を介して太陽電池２の陽極に接続され、端子Ｐａ２は、太陽電池２のアースに接続されている。
【００２９】
電力送電用ケーブル３のケーブル用プラグ５ａが、防犯ブザー本体１の外部接続用ジャック４ａに挿入されている状態では、外部接続用ジャック４ａの端子Ｊａ１、端子Ｊａ２は、それぞれ、電力送電用ケーブル３のケーブル用プラグ５ａの端子Ｐａ１、端子Ｐａ２と接触して接続され、外部接続用ジャック４ａの端子Ｊａ３は、どこにも接続されず、オープン状態となっている。又、電力送電用ケーブル３のケーブル用プラグ５ａが、防犯ブザー本体１の外部接続用ジャック４ａから外れている状態では、外部接続用ジャック４ａの端子Ｊａ１は、どこにも接続されず、オープン状態となっており、端子Ｊａ２は、端子Ｊａ３と接触して接続されている。
【００３０】
発音体Ｂｚａは、端子Ｂａ１、端子Ｂａ２、及び、端子Ｂａ３の３つの端子を備えている。この発音体Ｂｚａは、直流電源で鳴動する発音体であり、端子Ｂａ１は、スイッチＳＷを介して蓄電池Ｅの陽極に接続され、端子Ｂａ２は蓄電池Ｅのアースに接続されている。又、この発音体Ｂｚａは、端子Ｂａ３の電位が蓄電池Ｅのアース電位となると鳴動するように構成されている。この端子Ｂａ３は、スイッチＳＷと直列に接続されているプルアップ抵抗である抵抗Ｒ２を介して蓄電池Ｅの陽極に接続されていると共に、防犯ブザー本体１の外部接続用ジャック４ａの端子Ｊａ３に接続されている。上記のスイッチＳＷは、太陽電池付防犯ブザーの運用設定スイッチであり、スイッチＳＷがＯＮすると太陽電池付防犯ブザーは使用中となり、ＯＦＦすると使用停止となる。
【００３１】
そこで、このスイッチＳＷがＯＮされた状態で、外部接続用ジャック４ａの端子Ｊａ３が蓄電池Ｅのアース電位となると、即ち、電力送電用ケーブル３のケーブル用プラグ５ａが、防犯ブザー本体１の外部接続用ジャック４ａから外れて、外部接続用ジャック４ａの端子Ｊａ３が蓄電池Ｅのアース電位である端子Ｊａ２と接触して接続された状態となると、発音体Ｂｚａの端子Ｂａ３の電位が蓄電池Ｅのアース電位となり、発音体Ｂｚａが鳴動する。
【００３２】
上記のスイッチＳＷがＯＮしている状態で、電力送電用ケーブル３のケーブル用プラグ５ａが、防犯ブザー本体１の外部接続用ジャック４ａに挿入されている状態、つまり、外部接続用ジャック４ａの端子Ｊａ３は、どこにも接続されず、オープン状態となっている状態では、発音体Ｂｚａの端子Ｂａ３の電位は、プルアップ抵抗である抵抗Ｒ２により、蓄電池Ｅの陽極電位であり、蓄電池Ｅのアース電位とはならないので、発音体Ｂｚａは鳴動しない。
【００３３】
又、蓄電池Ｅの陽極は、直列に接続された充電電流制限抵抗の抵抗Ｒ１と逆流防止用ダイオードのダイオードＤを介して、外部接続用ジャック４ａの端子Ｊａ１に接続されている。又、蓄電池Ｅのアースは、外部接続用ジャック４ａの端子Ｊａ２に接続されている。そこで、外部接続用ジャック４ａの端子Ｊａ１と端子Ｊａ２の間に、端子Ｊａ１がプラスとなるような直流電圧が印加されると、蓄電池Ｅが充電される。そこで、電力送電用ケーブル３のケーブル用プラグ５ａが、防犯ブザー本体１の外部接続用ジャック４ａに挿入されている状態では、外部接続用ジャック４ａの端子Ｊａ１、端子Ｊａ２は、それぞれ、電力送電用ケーブル３のケーブル用プラグ５ａの端子Ｐａ１、端子Ｐａ２と接触して接続されると共に、端子Ｐａ１は、電力送電用ケーブル３を介して太陽電池２の陽極に接続され、端子Ｐａ２は、太陽電池２のアースに接続されるので、蓄電池Ｅが充電される。
【００３４】
次に、上記の太陽電池付防犯ブザーの動作について説明する。この太陽電池付防犯ブザーの使用中は、防犯ブザー本体１のスイッチＳＷはＯＮされていると共に、電力送電用ケーブル３のケーブル用プラグ５ａが、防犯ブザー本体１の外部接続用ジャック４ａに挿入されている。そこで、上述したように、外部接続用ジャック４ａの端子Ｊａ１、端子Ｊａ２は、それぞれ、電力送電用ケーブル３のケーブル用プラグ５ａの端子Ｐａ１、端子Ｐａ２と接触して接続され、外部接続用ジャック４ａの端子Ｊａ３は、どこにも接続されず、オープン状態となっている。
【００３５】
従って、太陽電池２が発電する直流電力が、電力送電用ケーブル３のケーブル用プラグ５ａ、外部接続用ジャック４ａを介して、防犯ブザー本体１の蓄電池Ｅへ供給されて、蓄電池Ｅが充電される。又、外部接続用ジャック４ａの端子Ｊａ３は、どこにも接続されず、オープン状態であるので、発音体Ｂｚａの端子Ｂａ３の電位は蓄電池Ｅの陽極電位であり、蓄電池Ｅのアース電位とはならないので、発音体Ｂｚａは鳴動しない。
【００３６】
上記の太陽電池付防犯ブザーの使用中に、緊急事態が発生して、電力送電用ケーブル３のケーブル用プラグ５ａが、防犯ブザー本体１の外部接続用ジャック４ａから引抜かれて外されると、外部接続用ジャック４ａの端子Ｊａ３が蓄電池Ｅのアース電位である外部接続用ジャック４ａの端子Ｊａ２と接触して接続された状態となり、発音体Ｂｚａの端子Ｂａ３の電位が蓄電池Ｅのアース電位となるので、発音体Ｂｚａが鳴動する。
【００３７】
上記の太陽電池付防犯ブザーによれば、上記の太陽電池付防犯ブザーは、上述したように、太陽電池２を備えており、防犯ブザー本体１の内部に収納されている蓄電池Ｅを充電することができるので、この太陽電池付防犯ブザーを確実に動作させることができるだけの電源を、常に確保することができる。
【００３８】
又、防犯ブザー本体１の外部接続用ジャック４ａから電力送電用ケーブル３のケーブル用プラグ５ａを引抜けば、発音体Ｂｚａを鳴動させることができ、緊急時には、防犯ブザーとしての効果を確実に発揮させることができる。
【００３９】
又、児童等は、防犯ブザー本体１のストラップ６を首からかけて防犯ブザー本体１を携行することができると共に、太陽電池２をランドセル７の蓋８の表面に張付ており、ランドセル７を背負うことで太陽電池２も携行することができる。従って、児童等が、太陽電池付防犯ブザーを携行するのを容易にすることができる。
【００４０】
又、太陽電池２は、防犯ブザー本体１と異なるランドセル７に備えられており、太陽電池２と防犯ブザー本体１とを離して携行することができる。従って、太陽電池２と防犯ブザー本体１とが児童等から同時に剥ぎ取られるような事態の回避にきわめて有効であり、太陽電池２と防犯ブザー本体１とが児童等から同時に剥ぎ取られて防犯ブザー本体１の発音体Ｂｚａが鳴動しないまま、他人に持去られることを防止することができる。
【００４１】
又、電力送電用ケーブル３を、ランドセル７の蓋８の付根付近から、ランドセル７の背負面側へ導出しており、児童等が、ランドセル７を背負った状態で電力送電用ケーブル３を肩越しに前へ垂らして、電力送電用ケーブル３のケーブル用プラグ５ａを児童等の胸の前に配置することができる。従って、児童等が、防犯ブザー本体１のストラップ６を首からかけて携行時に、ケーブル用プラグ５ａの外部接続用ジャック４ａへの挿入部分が、児童等の目の届くところにあるので、緊急時には、防犯ブザー本体１の外部接続用ジャック４ａから電力送電用ケーブル３のケーブル用プラグ５ａを抜くのを、容易、且つ、確実に行うことができる。
【００４２】
＜実施の形態２＞
次に、実施の形態２における太陽電池付防犯ブザーについて説明する。図４は、実施の形態２における太陽電池付防犯ブザーの外観図であり、図５、図６は、この太陽電池付防犯ブザーの回路構成を示した回路図である。実施の形態２における太陽電池付防犯ブザーは、実施の形態１における太陽電池付防犯ブザーとほとんど同じである。
【００４３】
実施の形態２の太陽電池付防犯ブザーが、実施の形態１の太陽電池付防犯ブザーと異なるのは、発音体として、発音体Ｂｚａに代えて、端子Ｂｂ１、端子Ｂｂ２、及び、端子Ｂｂ３の３つの端子を備えた発音体Ｂｚｂを用いた点、防犯ブザー本体１の外部接続用ジャック４ａに代えて、外部接続用プラグ４ｂを用いた点、及び、電力送電用ケーブル３のケーブル用プラグ５ａに代えて、ケーブル用ジャック５ｂを用いた点である。
【００４４】
実施の形態２の太陽電池付防犯ブザーで用いられている発音体Ｂｚｂは、実施の形態１の発音体Ｂｚａと同様、直流電源で鳴動する発音体であり、端子Ｂｂ１は、スイッチＳＷを介して蓄電池Ｅの陽極に接続され、端子Ｂｂ２は、蓄電池Ｅのアースに接続されているが、実施の形態１の発音体Ｂｚａと異なり、端子Ｂｂ３の電位が蓄電池Ｅの陽極電位となると鳴動する。又、端子Ｂｂ３は、実施の形態１と同様、スイッチＳＷと直列に接続されているプルアップ抵抗である抵抗Ｒ２を介して蓄電池Ｅの陽極に接続されていると共に、防犯ブザー本体１の外部接続用プラグ４ｂにおける後述する端子Ｊｂ３に接続されている。又、上記のスイッチＳＷは、実施の形態１と同様、太陽電池付防犯ブザーの運用設定スイッチであり、スイッチＳＷがＯＮすると太陽電池付防犯ブザーは使用中となり、ＯＦＦすると使用停止となる。
【００４５】
上述した図５は、防犯ブザー本体１の外部接続用プラグ４ｂが、電力送電用ケーブル３のケーブル用ジャック５ｂに挿入されて使用されている状態における回路図であり、図６は、防犯ブザー本体１の外部接続用プラグ４ｂが、電力送電用ケーブル３のケーブル用ジャック５ｂから外れている状態における回路図である。図５、図６において、防犯ブザー本体１の外部接続用プラグ４ｂは、端子Ｊｂ１、端子Ｊｂ２、及び、端子Ｊｂ３の３つの端子を備えている。又、電力送電用ケーブル３のケーブル用ジャック５ｂは、端子Ｐｂ１、及び、端子Ｐｂ２の２つの端子を備えており、端子Ｐｂ１は、電力送電用ケーブル３を介して太陽電池２の陽極に接続され、端子Ｐｂ２は、太陽電池２のアースに接続されている。
【００４６】
防犯ブザー本体１の外部接続用プラグ４ｂが、電力送電用ケーブル３のケーブル用ジャック５ｂに挿入されている状態では、外部接続用プラグ４ｂの端子Ｊｂ１、端子Ｊｂ２は、それぞれ、電力送電用ケーブル３のケーブル用ジャック５ｂの端子Ｐｂ１、端子Ｐｂ２と接触して接続され、外部接続用プラグ４ｂの端子Ｊｂ３も、ケーブル用ジャック５ｂの端子Ｐｂ２と接触して接続されている。又、防犯ブザー本体１の外部接続用プラグ４ｂが、電力送電用ケーブル３のケーブル用ジャック５ｂから外れている状態では、外部接続用プラグ４ｂの端子Ｊｂ１、端子Ｊｂ２、及び、端子Ｊｂ３は、どこにも接続されず、オープン状態となっている。
【００４７】
そこで、スイッチＳＷがＯＮされた状態で、防犯ブザー本体１の外部接続用プラグ４ｂが、電力送電用ケーブル３のケーブル用ジャック５ｂから外れて、外部接続用プラグ４ｂの端子Ｊｂ３がオープン状態となると、外部接続用プラグ４ｂの端子Ｊｂ３は、プルアップ抵抗である抵抗Ｒ２により、蓄電池Ｅの陽極電位となり、発音体Ｂｚｂが鳴動する。
【００４８】
又、上記のスイッチＳＷがＯＮしている状態で、防犯ブザー本体１の外部接続用プラグ４ｂが、電力送電用ケーブル３のケーブル用ジャック５ｂに挿入されている状態、つまり、外部接続用プラグ４ｂの端子Ｊｂ３は、ケーブル用ジャック５ｂの端子Ｐｂ２と接触して接続されていると共に、この端子Ｐｂ２は、外部接続用プラグ４ｂの端子Ｊｂ２とも接触して接続されているので、外部接続用プラグ４ｂの端子Ｊｂ３は、蓄電池Ｅのアース電位となり、陽極電位とはならないので、発音体Ｂｚａは鳴動しない。
【００４９】
又、蓄電池Ｅの陽極は、直列に接続された充電電流制限抵抗の抵抗Ｒ１と逆流防止用ダイオードのダイオードＤを介して、外部接続用プラグ４ｂの端子Ｊｂ１に接続されている。又、蓄電池Ｅのアースは、外部接続用プラグ４ｂの端子Ｊｂ２に接続されている。そこで、外部接続用プラグ４ｂの端子Ｊｂ１と端子Ｊｂ２の間に、端子Ｊｂ１がプラスとなるような直流電圧が印加されると、蓄電池Ｅが充電される。そこで、防犯ブザー本体１の外部接続用プラグ４ｂが、電力送電用ケーブル３のケーブル用ジャック５ｂに挿入されている状態では、外部接続用プラグ５ｂの端子Ｊｂ１、端子Ｊｂ２は、それぞれ、電力送電用ケーブル３のケーブル用ジャック５ｂの端子Ｐｂ１、端子Ｐｂ２と接触して接続されると共に、端子Ｐｂ１は、電力送電用ケーブル３を介して太陽電池２の陽極に接続され、端子Ｐｂ２は、太陽電池２のアースに接続されるので、蓄電池Ｅが充電される。
【００５０】
上記の実施の形態２における太陽電池付防犯ブザーでは、電力送電用ケーブル３を防犯ブザー本体１の外部接続用プラグ４ｂに接続するのに、ケーブル用ジャック５ｂが用いられている。そのため、太陽電池２の出力電圧が印加されるケーブル用ジャック５ｂの導電部は露出しておらず、ケーブル用ジャック５ｂが外部接続用プラグ４ｂから外れている状態における感電を防止することができる。このような効果のほか、上記の実施の形態２における太陽電池付防犯ブザーは、上述したように、実施の形態１における太陽電池付防犯ブザーと略同様に構成されているので、実施の形態１における太陽電池付防犯ブザーと同様の効果を有している。
【００５１】
上述した実施の形態１及び実施の形態２における太陽電池付防犯ブザーでは、防犯ブザー本体１のケースの側面１ａに、外部接続用ジャック４ａ又は外部接続用プラグ４ｂが備えられており、この場合は、一般的に、電力送電用ケーブル３のケーブル用プラグ５ａ、又は、防犯ブザー本体１の外部接続用プラグ４ｂを、外部接続用ジャック４ａ、又は、電力送電用ケーブル３のジャック５ｂから外すのに、両手を用いる必要がある。そこで、防犯ブザー本体１のケースの側面１ａに代えて、防犯ブザー本体１のケースの底面に外部接続用ジャック４ａ、又は、外部接続用プラグ４ｂを備えるようにしてもよい。このようにすることにより、片手で、電力送電用ケーブル３のケーブル用プラグ５ａ、又は、防犯ブザー本体１の外部接続用プラグ４ｂを、外部接続用ジャック４ａ又は電力送電用ケーブル３のジャック５ｂから外すことができる。
【００５２】
又、実施の形態１及び実施の形態２における太陽電池付防犯ブザーでは、防犯ブザー本体１の回路に、スイッチＳＷを備えているが、このスイッチＳＷを取除いて短絡するようにしてもよい。このようにすることにより、スイッチＳＷの入忘れにより太陽電池付防犯ブザーの機能が発揮されなくなるのを、防止することができる。
【００５３】
又、実施の形態１及び実施の形態２における太陽電池付防犯ブザーでは、太陽電池２は、ランドセル７に取付けられているが、ランドセル７に代えて、学童用の手提カバンの蓋等に取付るようにしてもよい。このようにすることにより、学童用の手提カバンを使用しているような児童に対しても、太陽電池付防犯ブザーを使用させるようにすることができる。
【図面の簡単な説明】
【００５４】
【図１】実施の形態１における太陽電池付防犯ブザーの外観図である。
【図２】実施の形態１における太陽電池付防犯ブザーの充電時の回路図である。
【図３】実施の形態１における太陽電池付防犯ブザーの鳴動時の回路図である。
【図４】実施の形態２における太陽電池付防犯ブザーの外観図である。
【図５】実施の形態２における太陽電池付防犯ブザーの充電時の回路図である。
【図６】実施の形態２における太陽電池付防犯ブザーの鳴動時の回路図である。
【符号の説明】
【００５５】
１  防犯ブザー本体
１ａ  側面
２  太陽電池
３  電力送電用ケーブル
４ａ  外部接続用ジャック
４ｂ  外部接続用プラグ
５ａ  ケーブル用プラグ
５ｂ  ケーブル用ジャック
６  ストラップ
７  ランドセル
８  蓋
Ｅ  蓄電池
Ｂｚａ  発音体
Ｂｚｂ  発音体
Ｂａ１  発音体の端子
Ｂａ２  発音体の端子
Ｂａ３  発音体の端子
Ｂｂ１  発音体の端子
Ｂｂ２  発音体の端子
Ｂｂ３  発音体の端子
ＳＷ  スイッチ
Ｄ  ダイオード
Ｒ１  抵抗
Ｒ２  抵抗
Ｊａ１  外部接続用ジャックの端子
Ｊａ２  外部接続用ジャックの端子
Ｊａ３  外部接続用ジャックの端子
Ｊｂ１  外部接続用プラグの端子
Ｊｂ２  外部接続用プラグの端子
Ｊｂ３  外部接続用プラグの端子
Ｐａ１  ケーブル用プラグの端子
Ｐａ２  ケーブル用プラグの端子
Ｐｂ１  ケーブル用ジャックの端子
Ｐｂ２  ケーブル用ジャックの端子
【図１】
2007202762.tif 000003
【図２】
2007202762.tif 000004
【図３】
2007202762.tif 000005
【図４】
2007202762.tif 000006
【図５】
2007202762.tif 000007
【図６】
2007202762.tif 000008